(57)【特許請求の範囲】
【請求項１】
呼び出し／通話のためのマイク及びスピーカを備えた少なくとも１つのインターホン子機と、前記インターホン子機から呼び出しを受けて応答する機能を備えた複数のインターホン親機とが通信ネットワークを介して接続されたインターホンシステムにおいて、
前記インターホン子機は、通常呼出動作と非常呼出動作との２つの呼出動作を実施する呼出制御部を有し、
前記通常呼出動作は、所定の通常呼出操作を受けて実施され、前記複数のインターホン親機のうち少なくとも１台の特定の前記インターホン親機を呼び出す制御を実施する一方、
前記非常呼出動作は、所定の非常呼出操作を受けて実施され、最初に前記通常呼出動作を実施し、所定時間内に応答が無ければ通信可能な他の前記インターホン親機を呼び出す制御を実施することを特徴とするインターホンシステム。
【請求項２】
前記インターホン子機を複数備えると共に、前記インターホン子機同士は、任意の１つのインターホン子機から他の全てのインターホン子機に対して一斉放送を可能とし、
前記呼出制御部が実施する前記非常呼出動作は、通信可能な他の前記インターホン親機の呼び出しに対して所定時間内に応答がなければ、更に通信可能な全ての前記インターホン子機に対して送話路を形成し、前記非常呼出操作が成されている前記インターホン子機からの一斉放送を可能とする制御を実施することを特徴とする請求項１記載のインターホンシステム。
【請求項３】
呼び出し／通話のためのマイク及びスピーカを備えた複数のインターホン子機と、前記インターホン子機から呼び出しを受けて応答する機能を備えた複数のインターホン親機とが通信ネットワークを介して接続されたインターホンシステムにおいて、
前記インターホン子機は、通常呼出動作と非常呼出動作との２つの呼出動作を実施する呼出制御部を有すると共に、前記インターホン子機同士は、任意の１つのインターホン子機から他の全てのインターホン子機に対して一斉放送を可能とし、
前記通常呼出動作は、所定の通常呼出操作を受けて実施され、前記複数のインターホン親機のうち少なくとも１台の特定の前記インターホン親機を呼び出す制御を実施する一方、
前記非常呼出動作は、所定の非常呼出操作が成されると実施され、最初に前記通常呼出動作を実施し、所定時間内に応答が無ければ通信可能な前記インターホン子機に対して送話路を形成し、前記非常呼出操作を受けた前記インターホン子機から一斉放送を可能とする制御を実施することを特徴とするインターホンシステム。
【請求項４】
前記インターホン子機は、押下操作で通常呼出を実施する呼出ボタンを有し、前記呼出ボタンが一定時間以上継続して押下されると非常呼出操作となることを特徴とする請求項１乃至３の何れかに記載のインターホンシステム。
【発明の詳細な説明】
【技術分野】
【０００１】
本発明は、呼び出し／通話機能を備えたインターホン子機と、通話機能を備えた複数のインターホン親機とを有し、機器同士が通信ネットワークを介して接続されたインターホンシステムに関する。
【背景技術】
【０００２】
従来より、呼び出し／通話機能を備えたインターホン子機と、通話機能を備えた複数のインターホン親機とがＬＡＮ等の通信ネットワークを介して接続されて呼び出し／通話を可能としたインターホンシステムがある（例えば、特許文献１参照）。
このような、通信ネットワークを介して接続されたインターホンシステムは、無人駅等関係者が居ない場所から離れた場所にいる関係者を呼び出すのに便利であるし、地域において不審者の通報等の防犯に活用できる。更に災害発生時には緊急通報等に活用できるため、普及が見込まれている。
このようなシステムでは、インターホン子機からの呼出操作で、同時に複数のインターホン親機を呼び出しできるよう構成されている。
【先行技術文献】
【特許文献】
【０００３】
【特許文献１】特開２０１４−２２９９８９号公報
【発明の概要】
【発明が解決しようとする課題】
【０００４】
上述したように、通信ネットワークを介して機器が接続されたインターホンシステムは、災害時に有効であると考えられているが、非常時の通報／通話においては、受信側の有人拠点や拠点間のインフラ部分が切断されたり停電になると通信できない問題がある。また、相手が転送設定されていれば、不在であっても他のインターホン親機を呼び出しできるが、呼び出し先の状態や途中の通信路の状態に関わらず、呼出信号が送信できなかった場合は、そのまま呼出しイベントは終了してしまい、呼び出し側はそれ以降の対策が取れなかった。
【０００５】
そこで、本発明はこのような問題点に鑑み、呼出先に設定されているインターホン親機から応答がない場合には、通信可能な他のインターホン機器に呼出先が切り替わって通報を可能とするインターホンシステムを提供することを目的としている。
【課題を解決するための手段】
【０００６】
上記課題を解決する為に、請求項１の発明は、呼び出し／通話のためのマイク及びスピーカを備えた少なくとも１つのインターホン子機と、インターホン子機から呼び出しを受けて応答する機能を備えた複数のインターホン親機とが通信ネットワークを介して接続されたインターホンシステムにおいて、インターホン子機は、通常呼出動作と非常呼出動作との２つの呼出動作を実施する呼出制御部を有し、通常呼出動作は、所定の通常呼出操作を受けて実施され、複数のインターホン親機のうち少なくとも１台の特定のインターホン親機を呼び出す制御を実施する一方、非常呼出動作は、所定の非常呼出操作を受けて実施され、最初に通常呼出動作を実施し、所定時間内に応答が無ければ通信可能な他のインターホン親機を呼び出す制御を実施することを特徴とする。
この構成によれば、非常呼出操作されたら、呼び出し先に設定されたインターホン親機から応答がなければ、通信可能な他のインターホン親機に呼出先を変更して呼び出しを継続するため、断線等で呼出信号が送信出来ないインターホン親機があっても何れかのインターホン親機から応答される確率が高く、非常時の呼び出しに有効である。
【０００７】
請求項２の発明は、請求項１に記載の構成において、インターホン子機を複数備えると共に、インターホン子機同士は、任意の１つのインターホン子機から他の全てのインターホン子機に対して一斉放送を可能とし、呼出制御部が実施する非常呼出動作は、通信可能な他のインターホン親機の呼び出しに対して所定時間内に応答がなければ、更に通信可能な全てのインターホン子機に対して送話路を形成し、非常呼出操作が成されているインターホン子機からの一斉放送を可能とする制御を実施することを特徴とする。
この構成によれば、呼出可能なインターホン親機から応答がない場合は、応答する機能を備えていない通信可能な他のインターホン子機に対して音声の報音が可能となるため、非常事態の発生等を誰かに認識させることができる。
【０００８】
請求項３の発明は、呼び出し／通話のためのマイク及びスピーカを備えた複数のインターホン子機と、インターホン子機から呼び出しを受けて応答する機能を備えた複数のインターホン親機とが通信ネットワークを介して接続されたインターホンシステムにおいて、インターホン子機は、通常呼出動作と非常呼出動作との２つの呼出動作を実施する呼出制御部を有すると共に、インターホン子機同士は、任意の１つのインターホン子機から他の全てのインターホン子機に対して一斉放送を可能とし、通常呼出動作は、所定の通常呼出操作を受けて実施され、複数のインターホン親機のうち少なくとも１台の特定のインターホン親機を呼び出す制御を実施する一方、非常呼出動作は、所定の非常呼出操作が成されると実施され、最初に通常呼出動作を実施し、所定時間内に応答が無ければ通信可能なインターホン子機に対して送話路を形成し、非常呼出操作を受けたインターホン子機から一斉放送を可能とする制御を実施することを特徴とする。
この構成によれば、呼び出し先に設定されたインターホン親機から応答がない場合は、応答する機能を備えていない通信可能な他のインターホン子機に対して音声の報音が可能となるため、早い段階で非常事態の発生等を誰かに認識させることができる。
【０００９】
請求項４の発明は、請求項１乃至３の何れかに記載の構成において、インターホン子機は、押下操作で通常呼出を実施する呼出ボタンを有し、呼出ボタンが一定時間以上継続して押下されると非常呼出操作となることを特徴とする。
この構成によれば、インターホン子機に設ける操作ボタンは１つで済み、従来のインターホン子機から大きな設計変更を必要としない。
【発明の効果】
【００１０】
本発明によれば、非常呼出操作されたら、呼び出し先に設定されたインターホン親機から応答がなければ、通信可能な他のインターホン親機に呼出先を変更して呼び出しを継続するため、断線等で呼出信号が送信出来ないインターホン親機があっても何れかのインターホン親機から応答される確率が高く、非常時の呼び出しに有効である。
【図面の簡単な説明】
【００１１】
【図１】本発明に係るインターホンシステムの一例を示す概略構成図である。
【図２】非常呼び出しの動作の流れを示すフローチャートである。
【発明を実施するための形態】
【００１２】
以下、本発明を具体化した実施の形態を、図面を参照して詳細に説明する。図１は本発明に係るインターホンシステムの一例を示す概略構成図であり、１は呼び出し／通話機能を備えたインターホン子機（以下、単に「子機」と称する。）、２は子機１からの呼び出しを受けて応答する機能を備えたインターホン親機（以下、単に「親機」と称する。）であり、それぞれ複数設けられて、ＬＡＮ或いはインターネット等の通信ネットワークＮを介して互いに接続されている。尚、ここでは子機１を３台（第１子機１ａ，第２子機１ｂ，第３子機１ｃ）、親機２を６台（第１親機２ａ，第２親機２ｂ，・・・第６親機２ｆ）備えた構成を示している。
【００１３】
子機１は、呼び出しを実施する呼出ボタン１１、通話するためのマイク１２及びスピーカ１３、音声信号のＡ／Ｄ・Ｄ／Ａ変換等を実施する音声処理部１４、操作者を撮像するためのカメラ１５、登録された呼出先親機２を記憶する呼出先記憶部１６、子機１を制御する子機ＣＰＵ１７、通信ネットワークＮを介して親機２と通信するための子機通信ＩＦ１８等を備えている。
尚、呼出ボタン１１は、押し方により登録された親機２のみ呼び出す通常呼出操作と、登録されていない親機２も含めて呼び出しを実施する非常呼出操作の２つの操作を可能としている。
【００１４】
親機２は、呼び出しに対する応答操作等を行う操作部２１、通話するためのマイク２２及びスピーカ２３、音声信号のＡ／Ｄ・Ｄ／Ａ変換等を実施する音声処理部２４、カメラ１５の撮像映像を表示する表示部２５、親機２を制御する親機ＣＰＵ２６、通信ネットワークＮを介して子機１と通信するための親機通信ＩＦ２７等を備えている。
【００１５】
上記の如く構成されたインターホンシステムの動作は以下の様である。図２は非常呼出操作を行った際の動作の流れを示すフローチャートを示し、この図２を参照してまず非常呼び出しを説明する。非常呼び出しは、呼出ボタン１１が一定時間（例えば、２秒間）に亘り押下されると、子機ＣＰＵ１７が非常呼び出し発生と判断して非常呼出動作を実施する。ここでは、第１子機１ａが非常呼出操作されたとして説明する。
【００１６】
第１子機１ａの呼出ボタン１１が非常呼出操作されると（Ｓ１）、まず通常呼出先でもある呼出先記憶部１６に記憶された親機２に呼出信号を送信する。例えば、呼出先記憶部１６に第１親機２ａと第２親機２ｂが呼出先として記憶されていれば、この２台の親機２を特定し（Ｓ２）、呼出信号が送信される（Ｓ３）。呼出信号は通信ネットワークＮを介して親機２に送信される。
この呼び出しは、例えば４０秒等一定時間実施され、その間応答があったら（Ｓ４でＹＥＳ）、応答があった親機２と通話路が形成されて通話が成され（Ｓ５）、その後待受状態に戻る。
【００１７】
しかし、何れの親機２からも応答が無く一定時間が経過したら、或いは断線や故障等で呼出信号自体が送信されずに一定時間が経過したら、ＩＰアドレス等から通信ネットワークＮに接続されて通信が可能な他の親機２を捜索し（Ｓ６）、親機２が見つかったら（Ｓ７でＹＥＳ）、その親機２に対して呼出信号を送信する（Ｓ８）。ここでは、第３親機２ｃ〜第６親機２ｆの４台が通信可能であると認識し、この４台の親機２に対して呼出信号が送信され、応答があったら通話（Ｓ１０）が行われ、通話終了後は待受状態に戻る。
【００１８】
但し、この捜索した親機２からも応答が無かった（Ｓ９でＮＯ）り、捜索した結果呼出先が見つからなかった（Ｓ７でＮＯ）場合は、今度はＩＰアドレス等から通信ネットワークＮに接続されて通信が可能な子機１を捜索する（Ｓ１１）。
【００１９】
子機１を捜索した結果、通信可能な子機１は、第２子機１ｂ、第３子機１ｃの２台の子機１であることを認識し、それらの子機１に対して一斉放送信号を送信する（Ｓ１２）。一斉放送信号を受信した子機１は、子機ＣＰＵ１７の制御によりスピーカ１３から警報音を鳴動する（Ｓ１３）。一方、非常呼出操作された第１子機１ａの子機ＣＰＵ１７は、自身のスピーカ１３から放送を促すメッセージ、例えば「お話し下さい」を報音させる（Ｓ１４）。
こうして、一斉放送が可能であることを認識した操作者は、通報すべきメッセージを伝えることができ、接続されている放送先の子機１からそのメッセージが拡声して報音される。尚、子機１は他の子機１から放送が行われても、応答する機能を備えてはいない。
【００２０】
一方、通常呼出操作は、呼出ボタン１１の上述した非常呼出操作とならない所定時間未満の押下操作により実施される。呼出ボタン１１の押下継続時間が所定時間に達しなかったら、子機ＣＰＵ１７は呼出操作が成されたと判断して、呼出動作を開始する。呼出動作は、呼出信号を生成して呼出先記憶部１６に登録されている第１親機２ａ及び第２親機２ｂに送信すると共に、カメラ１５の撮像映像を合わせて送信する。
呼出信号及び映像を通信ネットワークＮを介して受信した親機２は、親機ＣＰＵ２６がスピーカ２３から呼出音を報音させ、送信された映像を表示部２５に表示させる。
こうして、親機２の呼出音に気づいた応答者が操作部２１を所定の通話操作すると、通話路が形成されて、呼出者と応答者との間で通話が成される。
尚、上記非常呼出動作の場合も通常呼出動作と同様に、通話時には呼出操作した子機１のカメラ１５の撮像映像が送信されて、応答した親機２の表示部２５に表示される。
【００２１】
このように、非常呼出操作された場合は、呼び出し先に設定された親機２から応答がなければ、通信可能な他の親機２に呼出先を変更して呼び出しを継続するため、断線等で呼出信号が送信出来ない親機２があっても何れかの親機２から応答される確率が高く、非常時の呼び出しに有効である。
また、呼び出しが転送された親機２から応答がない場合、或いは転送先の親機２が見つからなかった場合は、応答する機能を備えていない通信可能な他の子機１に対して音声の報音が可能となるため、非常事態の発生等を誰かに認識させることができる。
更に、子機１の通常呼び出しを行う呼出ボタン１１を、非常呼出ボタンと兼用としたため、操作ボタンは１つで済み大きな設計変更を必要としない。
【００２２】
尚、上記実施形態では、非常呼出を受けて通常呼出先である登録された親機２の呼び出しを実施し、応答がなかったら通信可能な親機２を捜索して捜索した親機２の呼び出しをその次に実施するが、登録された親機２から応答が無かった段階で、次は通信可能な子機１を捜索して、放送を実施しても良い。このように動作させれば、早い段階で一斉放送が可能となるため、非常事態の発生等を早く誰かに認識させることが可能となる。
また、非常呼出ボタンと通常呼出ボタンを兼用としているが、当然独立して設けても良い。
更に、子機１は１台でも本発明を構成できるが、その場合は他の子機１に対する放送機能は無い。
【符号の説明】
【００２３】
１・・インターホン子機、２・・インターホン親機、１１・・呼出ボタン（通常）、１２・・マイク、１３・・スピーカ、１６・・呼出先記憶部、１７・・子機ＣＰＵ（呼出制御部）、２１・・操作部、Ｎ・・通信ネットワーク。
【図１】
0006404160.tif 000002
【図２】
0006404160.tif 000003